(57)【要約】【課題】表示パターンに左右されず、色変化を抑える液晶表示装置を提供することを目的とする。【解決手段】本発明にかかる液晶表示装置は、複数の画素がデルタ配列されている液晶表示装置であって、各画素は、液晶分子の配向方向を２種類有し、各画素の液晶分子の配向方向は、所定の規則に従って決定され、上下に隣接する水平方向の画素列の配向方向の並びは異なる。また、液晶分子の配向方向は、所定の数列により求まる位置に存在していない場合には、一つ左の画素と反対方向となり、所定の数列により求まる位置に存在している場合には、一つ左の画素と同一方向としてもよい。【選択図】図４
2011107440.tif 000002
【特許請求の範囲】
【請求項１】
複数の画素がデルタ配列されている液晶表示装置であって、
各画素は、液晶分子の配向方向を２種類有し、
前記各画素の液晶分子の配向方向は、所定の規則に従って決定され、上下に隣接する水平方向の画素列の配向方向の並びは異なる、
液晶表示装置。
【請求項２】
前記各画素の液晶分子の配向方向は、所定の数列により求まる位置に存在していない場合には、一つ左の画素と反対方向となり、前記所定の数列により求まる位置に存在している場合には、一つ左の画素と同一方向となる、
請求項１に記載の液晶表示装置。
【請求項３】
前記所定の級数はフィボナッチ数列である、
請求項２に記載の液晶表示装置。
【発明の詳細な説明】
【技術分野】
【０００１】
本発明は液晶表示装置に関し、特に、各画素がデルタ配列されている液晶表示装置に関する。
【背景技術】
【０００２】
特許文献１は、液晶表示装置を開示する。この液晶表示装置は、各画素のスリットの傾斜方向を垂直方向で異ならせている。これにより、画素の透過率の低下を抑えると共に視野角の変化に伴う色変化を抑えることができる。
【先行技術文献】
【特許文献】
【０００３】
【特許文献１】特開２００７−２９３１５４号公報
【発明の概要】
【発明が解決しようとする課題】
【０００４】
しかしながら、上記特許文献１が開示している液晶表示装置は、水平方向に配置された各画素のスリットの傾斜方向が同一であるため、表示パターンによっては、上記色変化を抑えるという効果を十分に得ることができない。
【０００５】
本発明は、表示パターンに左右されず、色変化を抑える液晶表示装置を提供することを目的とする。
【課題を解決するための手段】
【０００６】
上記課題を解決するために、本発明にかかる液晶表示装置は、複数の画素がデルタ配列されている液晶表示装置であって、各画素は、液晶分子の配向方向を２種類有し、各画素の液晶分子の配向方向は、所定の規則に従って決定され、上下に隣接する水平方向の画素列の配向方向の並びは異なる。
【発明の効果】
【０００７】
本発明によれば、表示パターンに左右されず、色変化を抑える液晶表示装置を提供できる。
【図面の簡単な説明】
【０００８】
【図１】デジタルカメラ１００の構成を示すブロック図
【図２】フィボナッチ数列において、次数ｎ（１〜１０）を代入した結果を示す図
【図３】フィボナッチ数列に次数ｎ（１〜５０）を代入した結果である（ｘ１、ｙ１）を座標上にプロットした図
【図４】図３のうち切り出された範囲である液晶モニタの構成を示す模式図
【発明を実施するための形態】
【０００９】
〔１．実施の形態１〕
本発明をデジタルビデオカメラの液晶モニタに適用した例について図面を用いて説明する。
【００１０】
〔１−１．電気的構成〕
本実施の形態にかかるデジタルビデオカメラ１００の電気的構成について、図１を用いて説明する。図１は、デジタルビデオカメラ１００の構成を示すブロック図である。デジタルビデオカメラ１００は、ズームレンズ１１０等からなる光学系により形成された被写体像をＣＣＤイメージセンサー１８０で撮像する。ＣＣＤイメージセンサー１８０で生成された画像データは、画像処理部１９０で各種処理が施され、メモリカード２４０に格納される。また、メモリカード２４０に格納された画像データは、液晶モニタ２７０で表示可能である。以下、デジタルビデオカメラ１００の構成を詳細に説明する。
【００１１】
デジタルビデオカメラ１００の光学系は、ズームレンズ１１０、ＯＩＳ１４０、フォーカスレンズ１７０を含む。ズームレンズ１１０は、光学系の光軸に沿って移動することにより、被写体像を拡大又は縮小可能である。また、フォーカスレンズ１７０は、光学系の光軸に沿って移動することにより、被写体像のピントを調整する。
【００１２】
ＯＩＳ１４０は、内部に光軸に垂直な面内で移動可能な補正レンズを有する。ＯＩＳ１４０は、デジタルビデオカメラ１００の振れを相殺する方向に補正レンズを駆動することにより、被写体像の振れを低減する。
【００１３】
ズームモータ１３０は、ズームレンズ１１０を駆動する。ズームモータ１３０は、パルスモータやＤＣモータ、リニアモータ、サーボモータなどで実現してもよい。ズームモータ１３０は、カム機構やボールネジなどの機構を介してズームレンズ１１０を駆動するようにしてもよい。検出器１２０は、ズームレンズ１１０が光軸上でどの位置に存在するのかを検出する。検出器１２０は、ズームレンズ１１０の光軸方向への移動に応じて、ブラシ等のスイッチによりズームレンズの位置に関する信号を出力する。
【００１４】
ＯＩＳアクチュエータ１５０は、ＯＩＳ１４０内の補正レンズを光軸と垂直な面内で駆動する。ＯＩＳアクチュエータ１５０は、平面コイルや超音波モータなどで実現できる。また、検出器１６０は、ＯＩＳ１４０内における補正レンズの移動量を検出する。
【００１５】
ＣＣＤイメージセンサー１８０は、ズームレンズ１１０等からなる光学系で形成された被写体像を撮像して、画像データを生成する。ＣＣＤイメージセンサー１８０は、露光、転送、電子シャッタなどの各種動作を行う。
【００１６】
画像処理部１９０は、ＣＣＤイメージセンサー１８０で生成された画像データに対して各種の処理を施す。画像処理部１９０は、ＣＣＤイメージセンサー１８０で生成された画像データに対して処理を施し、液晶モニタ２７０に表示するための画像データを生成したり、メモリカード２４０に再格納するための画像データを生成したりする。例えば、画像処理部１９０は、ＣＣＤイメージセンサー１８０で生成された画像データに対してガンマ補正やホワイトバランス補正、傷補正などの各種処理を行う。また、画像処理部１９０は、ＣＣＤイメージセンサー１８０で生成された画像データに対して、ＪＰＥＧ規格に準拠した圧縮形式等により画像データを圧縮する。画像処理部１９０は、ＤＳＰやマイコンなどで実現可能である。
【００１７】
コントローラー２１０は、全体を制御する制御手段である。コントローラー２１０は、半導体素子などで実現可能である。コントローラー２１０は、ハードウェアのみで構成してもよいし、ハードウェアとソフトウェアとを組み合わせることにより実現してもよい。コントローラー２１０は、マイコンなどで実現できる。
【００１８】
メモリ２００は、画像処理部１９０及びコントローラー２１０のワークメモリとして機能する。メモリ２００は、例えば、ＤＲＡＭ、強誘電体メモリなどで実現できる。
【００１９】
液晶モニタ２７０は、ＣＣＤイメージセンサー１８０で生成した画像データが示す画像や、メモリカード２４０から読み出した画像データが示す画像を表示可能である。なお、液晶モニタ２７０の画素数は、２３万画素である。なお、画素数は４６万画素や１２万画素等、何画素であってもよい。
【００２０】
ジャイロセンサー２２０は、圧電素子等の振動材等で構成される。ジャイロセンサー２２０は、圧電素子等の振動材を一定周波数で振動させコリオリ力による力を電圧に変換して角速度情報を得る。ジャイロセンサー２２０から角速度情報を得、この揺れを相殺する方向にＯＩＳ内の補正レンズを駆動させることにより、デジタルビデオカメラ１００は、使用者による手振れを補正する。
【００２１】
カードスロット２３０は、メモリカード２４０を着脱可能である。カードスロット２３０は、機械的及び電気的にメモリカード２４０と接続可能である。メモリカード２４０は、フラッシュメモリや強誘電体メモリなどを内部に含み、データを格納可能である。
【００２２】
内部メモリ２８０は、フラッシュメモリや強誘電低メモリなどで構成される。内部メモリ２８０は、デジタルビデオカメラ１００全体を制御するための制御プログラム等を格納する。
【００２３】
操作部材２５０は、使用者から画像の撮像指示を受け付ける部材である。ズームレバー２６０は、使用者からズーム倍率の変更指示を受け付ける部材である。
【００２４】
〔１−２．液晶モニタ２７０の構成〕
次に、液晶モニタ２７０の詳細な構成について図２〜図４を用いて説明する。
【００２５】
液晶モニタ２７０は、各画素にスリットを有している。各画素のスリットは、液晶分子の配向方向を決めるためのものである。各画素のスリットは、図４に示すように、傾斜を有している。液晶モニタ２７０の各画素のスリットがどのような傾斜を有するかは、以下のフィボナッチ数列により決定されている。
（ｘ、ｙ）=｛√n×cos(137.5/180x×nπ), √n×sin(137.5/180x×nπ)｝
以下、液晶モニタ２７０の各画素のスリットの傾斜方向の決定方法を説明する。なお、液晶モニタ２７０の画素数は、２３万画素であるが、説明を簡単にするために画素数を９９画素として、スリットの傾斜方向の決定方法を説明する。
液晶モニタ２７０の各画素のスリットの傾斜方向は、原則、隣接画素間で反対方向となる。但し、上記のフィボナッチ数列によって求められる画素のスリットの傾斜方向については、一つ左側の画素のスリットの傾斜方向と同一となる。以下、具体例を交えて、詳細に説明する。
【００２６】
図２は、上記のフィボナッチ数列において、次数ｎ（１〜１０）を代入した結果を示す図である。（ｘ０、ｙ０）は、上記フィボナッチ数列に次数ｎを代入した座標である。（ｘ１、ｙ１）は、液晶モニタ２７０の各画素に対応させるために、（ｘ０、ｙ０）を四捨五入したものである。
【００２７】
図３は、上記フィボナッチ数列に次数ｎ（１〜５０）を代入した結果である（ｘ１、ｙ１）を座標上にプロットした図である。なお、ここでは、ｎを１〜５０としたが、必ずしもこのような範囲とする必要はない。例えば１〜２５であってもよいし、１〜５００であってもよい。要するにどのような範囲であってもよい。このプロットした座標は、横×縦が１９×１７となっている。ここでは、液晶モニタ２７０の画素数を９９画素としているので、図３の座標のうち、横×縦が１１×９となる範囲（図３において枠で囲まれている範囲）を切り出す。
【００２８】
図４は、上記切り出された範囲の液晶モニタの構成を示す模式図である。液晶モニタ２７０には水平方向XにRGBの３原色カラーフィルターが各画素に繰り返し対応配置されている。また、液晶モニタ２７０にX方向に各画素のラインは、Y方向に隣接する各画素のラインとの間で１／２画素ずれている（デルタ配置）。ここで、図４において太枠で囲まれている画素は、図３で切り出された範囲のフィボナッチ数列に対応した画素である。
【００２９】
上述した通り、液晶モニタ２７０の各画素のスリットの傾斜方向は、原則、隣接画素間で反対方向となるが、上記のフィボナッチ数列によって求められる画素のスリットの傾斜方向については、一つ左側の画素のスリットの傾斜方向と同一となる。
【００３０】
例えば、図４において、画素（−４、４）は、フィボナッチ数列に対応した画素であり、隣接する画素（−５、４）（１つ左側の隣接画素）と同一の傾斜方向のスリットを有する。また、画素（−４，４）は、隣接する画素（−３、４）（１つ右側の隣接画素）と反対方向のスリットを有する。画素（−３、４）と画素（−２，４）とは、共にフィボナッチ数列に対応していない画素であるため、これらの画素のスリットの傾斜方向は反対方向となる。
同様にして、フィボナッチ数列に対応する画素は隣接する１つ左側の画素とスリットの傾斜方向が同一となり、フィボナッチ数列に対応しない画素は隣接する１つ左側の画素とスリットの傾斜方向が反対方向となるようにスリットを形成する。
このように、本実施の形態にかかる液晶モニタ２７０は、複数の画素がデルタ配列されている液晶モニタであって、各画素は、液晶分子の配向方向（スリットの傾斜方向）を２種類有し、各画素の液晶分子の配向方向は、所定の規則（原則として、隣接画素間で反対方向となるが、上記のフィボナッチ数列によって求められる画素のスリットの傾斜方向については、一つ左側の画素のスリットの傾斜方向と同一となる。）に従って決定され、上下に隣接する水平方向の画素列の配向方向の並びは異なるように構成される。
これにより、２種類のスリットの傾斜方向の画素をランダムに配置することができ、デルタ配列においてもスリットの傾斜方向の周期性を排除できるため、干渉による表示品位の低下を抑止すると共に、液晶分子の屈折率異方性による表示光の色変化の抑制と透過率の低下の抑止が可能となる。
〔２．他の実施の形態〕
以上により、本発明の実施の形態として、実施の形態１を説明した。しかし、本発明は、これらには限定されない。そこで、本発明の他の実施の形態を本欄にまとめて説明する。
【００３１】
本実施の形態にかかるデジタルカメラ１００の液晶モニタの構成は、図２〜図４に示すものに限定されない。
例えば、図２ではフィボナッチ数列を整数化して用いたが、周期性を少なく構成できるランダム数列であればよい。
また、図３ではフィボナッチ数列の次数を１〜５０としたがこれに限定されるのは言うまでもない。
また、図４でデルタ配列画素の座標とフィボナッチ級数を対応させたが、デルタ配列に限定されるものでなく、また画素のアスペクト比やサイズ,ピッチなどにより実スケールと対応させても良い、この場合数列と画素が一致しない場合が最も近い画素で傾斜方向の切り替えを行う構成でも良い。
また、スリットの傾斜方向,角度も図４に限定されるものでなく、２種類の傾斜角を有せばどのような方向であってもよい。
【産業上の利用可能性】
【００３２】
本発明は、液晶モニタに適用できる。
【符号の説明】
【００３３】
１００    デジタルカメラ
１１０    ズームレンズ
１２０    検出器
１３０    ズームモータ
１４０    ＯＩＳ
１５０    ＯＩＳアクチュエータ
１６０    検出器
１７０    フォーカスレンズ
１８０    ＣＣＤイメージセンサー
１９０    画像処理部
２００    メモリ
２１０    コントローラー
２２０    ジャイロセンサー
２３０    カードスロット
２４０    メモリカード
２５０    操作部材
２６０    ズームレバー
２７０    液晶モニタ
２８０    内部メモリ
【図１】
2011107440.tif 000003
【図２】
2011107440.tif 000004
【図３】
2011107440.tif 000005
【図４】
2011107440.tif 000006